(57)【要約】      （修正有）【課題】組み立て、折り畳みが簡単であるとともに、組み立てた状態の強度が高く、天板やグリルを安定した状態に支持できる折り畳み式スタンドを提供する。【解決手段】左右側脚体１１、１２は、中間部が枢支軸１７によって回動自在に枢支され、拡開時にはＸ状に交差し、折り畳み時には平行に引き揃えられる２本の棒状脚部材１８，１９によって形成され、前後連結部材１３，１４は、長手方向の両端部が横方向のヒンジ軸２３によって左右側脚体１１、１２を構成する棒状脚部材１８，１９の上端部に回動自在に連結され、左右連結部材１５，１６は、中間部がヒンジ機構３０によって回動自在に連結され、両端部が前後連結部材１３，１４に回転自在な嵌合部材２５を介して連結され、拡開時には棒状脚部材１８，１９がＸ状に拡開するに伴って水平状態を維持しながら一直線上になり、折り畳み時にはヒンジ軸を支点として二つ折りに屈折して、平行状態に引き揃えられる。【選択図】図２
2008259769.tif 000002
【特許請求の範囲】
【請求項１】
左右対称的に設けられた左側脚体１１及び右側脚体１２と、この左側脚体１１と右側脚体１２とを連結し、搭載物を支持する一対の前後連結部材１３,１４と、この前後連結部材１３，１４の長手方向の両端部相互を連結する左右連結部材２８とを備えた折り畳み式スタンドであって、
左側脚体１１及び右側脚体１２は、長手方向の中間部が枢支軸１７によって回動自在に枢支され、拡開時にはＸ状に交差し、折り畳み時には平行に引き揃えられる２本の棒状脚部材１８，１９によって形成され、
前後連結部材１３，１４は、長手方向の両端部が横方向のヒンジ軸２３によって左側脚体１１及び右側脚体１２を構成する棒状脚部材１８，１９の上端部に回動自在に連結され、拡開時には棒状脚部材１８，１９と直角をなし、折り畳み時には前記ヒンジ軸２３を支点として屈折して棒状脚部材１８，１９と平行に引き揃えられ、
左右連結部材１５，１６は、長手方向の中間部が鉛直方向のヒンジ軸を有するヒンジ機構３０によって回動自在に連結され、両端部が前後連結部材１３，１４に回転自在な嵌合部材２５を介して連結され、拡開時には棒状脚部材１８，１９がＸ状に拡開するに伴って水平状態を維持しながら一直線上になり、折り畳み時にはヒンジ機構３０を支点として水平状態を維持しながら内側に二つ折りに屈折して前後連結部材１３，１４と平行に引き揃えられ、
折り畳み時には、前後連結部材１３，１４、左側脚体１１、右側脚体１２及び左右連結部材１５，１６が連結された状態で平行状態に引き揃えられることを特徴とする折り畳み式スタンド。
【請求項２】
左側脚体１１及び右側脚体１２とともに一対の前後連結部材１３，１４を平行状態で、引き離す操作により、左右連結部材１３，１４を構成する２本の左右連結部材１５，１６の嵌合部材２５が前後連結部材１３，１４と回転しながらヒンジ機構３０を中心として回動して一直線上になり、一対の前後連結部材１３，１４を平行状態に拡開して支持し、上部に天板３６、グリル３９を選択的もしくは併用して搭載できることを特徴とする請求項１記載の折り畳み式スタンド。
【請求項３】
前記ヒンジ機構３０は、それぞれの一端部が嵌合部材２５を介して前後連結部材１３，１４と回転自在に連結された左右連結部材１５，１６の他端部にそれぞれ固定され、該左右連結部材１５，１６と直角に下方に延長する延出片を有するヒンジ金具３１と、これらヒンジ金具３１の延出片３３の先端部に設けられ、前記ヒンジ軸２９を鉛直方向に軸支する軸支部３４とから構成されていることを特徴とする請求項１記載の折り畳み式スタンド。
【発明の詳細な説明】
【技術分野】
【０００１】
本発明は、例えば、組み立て、折り畳みが簡単で、行楽地等に携帯し、野外で使用するに便利な折り畳み式スタンドに関する。
【背景技術】
【０００２】
組み立て、折り畳みが簡単で、行楽地等に携帯して野外で使用するに便利な折り畳み式テーブルが知られている（例えば、特許文献１参照。）。特許文献１は、それぞれ一対の左側脚柱、右側脚柱及び中間脚柱を備え、これら脚柱の上端部に固定部材を介して天板支持バーを水平に架設したものである。さらに、一対の左側脚柱、右側脚柱及び中間脚柱の相互間をＸ状に交差するリンクによって連結し、左側脚柱と中間脚柱との間及び右側脚柱と中間脚柱との間をＸ状に交差するリンクによって連結したものである。
【０００３】
そして、天板支持バーには折り畳み可能な天板やグリルを搭載でき、テーブルを囲んでバーベキュー等が行えるようになっており、不使用時には左側脚柱、右側脚柱及び中間脚柱と天板支持バーとを分離し、リンクを折り畳むことにより、左側脚柱、右側脚柱及び中間脚柱を引き揃えた状態に折り畳むことができるように構成されている。
【特許文献１】特開２００２−９５５３０号公報
【発明の開示】
【発明が解決しようとする課題】
【０００４】
しかしながら、特許文献１のものは、左側脚柱、右側脚柱及び中間脚柱と天板支持バーとは別部材であり、脚柱の上端部に設けられた固定部材の一対の挟持片に天板支持バーを差し込んで連結する構造である。また、複数本の脚柱の相互間をＸ状に交差するリンクと可動部材によって連結しているため、脚柱に嵌合された可動部材を摺動させながらリンクを回動する構造である。
【０００５】
従って、組み立て、折り畳み操作が困難である。また、テーブルの周囲に椅子を並べ、テーブルを囲んだ状態に着座した場合、膝がＸ状に交差するリンクに当たってしまうという不都合があり、特に身体の大きい人にとっては使い勝手が悪い。
【０００６】
本発明は、前記事情に着目してなされたもので、その目的とするところは、組み立て、折り畳みが簡単であるとともに、組み立てた状態の強度が高く、天板やグリルを安定した状態に支持できる折り畳み式スタンドを提供することにある。
【課題を解決するための手段】
【０００７】
本発明は、前記目的を達成するために、請求項１は、左右対称的に設けられた左側脚体１１及び右側脚体１２と、この左側脚体１１と右側脚体１２とを連結し、搭載物を支持する一対の前後連結部材１３,１４と、この前後連結部材１３，１４の長手方向の両端部相互を連結する左右連結部材１５，１６とを備えた折り畳み式スタンドであって、左側脚体１１及び右側脚体１２は、長手方向の中間部が枢支軸１７によって回動自在に枢支され、拡開時にはＸ状に交差し、折り畳み時には平行に引き揃えられる２本の棒状脚部材１８，１９によって形成され、前後連結部材１３，１４は、長手方向の両端部が横方向のヒンジ軸２３によって左側脚体１１及び右側脚体１２を構成する棒状脚部材１８，１９の上端部に回動自在に連結され、拡開時には棒状脚部材１８，１９と直角をなし、折り畳み時には前記ヒンジ軸２３を支点として屈折して棒状脚部材１８，１９と平行に引き揃えられ、左右連結部材１５，１６は、長手方向の中間部が鉛直方向のヒンジ軸を有するヒンジ機構３０によって回動自在に連結され、両端部が前後連結部材１３，１４に回転自在な嵌合部材２５を介して連結され、拡開時には左右連結部材１５，１６がＸ状に拡開するに伴って水平状態を維持しながら一直線上になり、折り畳み時にはヒンジ機構３０を支点として水平状態を維持しながら内側に二つ折りに屈折して前後連結部材１３，１４と平行に引き揃えられ、折り畳み時には、前後連結部材１３，１４、左側脚体１１、右側脚体１２及び左右連結部材１５，１６が連結された状態で平行状態に引き揃えられることを特徴とする。
【０００８】
請求項２は、請求項１の左側脚体１１及び右側脚体１２とともに一対の前後連結部材１３，１４を平行状態で、引き離す操作により、左右連結部材１３，１４を構成する２本の左右連結部材１５，１６の嵌合部材２５が前後連結部材１３，１４と回転しながらヒンジ機構３０を中心として回動して一直線上になり、一対の前後連結部材１３，１４を平行状態に拡開して支持し、上部に天板３６、グリル３９を選択的もしくは併用して搭載できることを特徴とする。
【０００９】
請求項３は、請求項１の前記ヒンジ機構３０は、それぞれの一端部が嵌合部材２５を介して前後連結部材１３，１４と回転自在に連結された左右連結部材１５，１６の他端部にそれぞれ固定され、該左右連結部材１５，１６と直角に下方に延長する延出片を有するヒンジ金具３１と、これらヒンジ金具３１の延出片３３の先端部に設けられ、前記ヒンジ軸２９を鉛直方向に軸支する軸支部３４とから構成されていることを特徴とする。
【発明の効果】
【００１０】
本発明によれば、前後連結部材を平行状態を保ちながら離間させるだけで、左側脚体と右側脚体が拡開し、前後連結部材を左右連結部材によって拡開状態に保持できる。さらに、左右連結部材が前後連結部材に対して回転自在な嵌合部材を介して連結されているため、組み立て、折り畳みが簡単かつスムーズに行えるとともに、組み立てた状態の強度が高く、天板やグリルを安定した状態に支持できる折り畳み式スタンドを提供できる。
【発明を実施するための最良の形態】
【００１１】
以下、本発明の実施の形態を図面に基づいて説明する。
【００１２】
図１は折り畳み式スタンドをテーブルとして使用した場合の斜視図であり、図２は折り畳み式スタンド自体の斜視図である。折り畳み式スタンド１０は、左右対称的に設けられた左側脚体１１及び右側脚体１２と、この左側脚体１１と右側脚体１２とを連結する一対の前後連結部材１３，１４と、この前後連結部材１３，１４の長手方向の両端部相互を連結する左右連結部材１５，１６とから構成されている。
【００１３】
左側脚体１１及び右側脚体１２は、同一構造であり、アルミニウム等の軽金属材料からなる中空角パイプによって形成され、長手方向の中間部が枢支軸１７によって回動自在に枢支された２本の棒状脚部材１８，１９によって形成されている。一方の棒状脚部材１８は１本の部材であり、他方の棒状脚部材１９は上下２本の部材１９ａと１９ｂとに２分割されている。
【００１４】
上下２本の部材１９ａと１９ｂは屈曲された内外２枚の連結板２０によって連結され、この連結板２０間には棒状脚部材１８は挿入され、２本の棒状脚部材１８，１９はＸ状に交差している。すなわち、前記枢支軸１７は連結板２０及び棒状脚部材１８を横方向に貫通しており、この枢支軸１７を中心として２本の棒状脚部材１８，１９が回動自在であり、拡開時にはＸ状で、折り畳み時には平行に引き揃え可能である。さらに、２本の棒状脚部材１８，１９の下端部には脚キャップ１８ａ,１９ｃが設けられている。
【００１５】
前後連結部材１３，１４は、同一構造であり、アルミニウム等の軽金属材料からなる中空角パイプによって形成され、長手方向の両端部にはＬ字形のヒンジ金具２２が固定されている。ヒンジ金具２２はその一端部が前後連結部材１３，１４と直角に下方に突出しており、この突出部には横方向にヒンジ軸２３が貫通して設けられている。そして、このヒンジ軸２３には前記２本の棒状脚部材１８，１９の上端部が回動自在に連結されている。
【００１６】
従って、左側脚体１１及び右側脚体１２を構成する棒状脚部材１８，１９は、拡開時には前後連結部材１３，１４と直角をなし、折り畳み時にはヒンジ軸２３を支点として屈折して前後連結部材１３，１４と平行に引き揃えられるようになっている。さらに、図４（ａ）に示すように、前後連結部材１３，１４と棒状脚部材１８，１９との間には一端部が前後連結部材１３，１４及び棒状脚部材１８，１９に連結ピン２３ａによって回動自在に連結され、他端部が枢支ピン２３ｂによって回動自在に連結された支持リンク２４が設けられている。この支持リンク２４は、前後連結部材１３，１４に対して棒状脚部材１８，１９を拡開した際に、両者が成す角度が直角になるようにロックする働きをしている。
【００１７】
また、図４（ａ）（ｂ）に示すように、前後連結部材１３，１４の両端部には角パイプの一部を円筒状に形成した円筒部１３ａ，１４ａが設けられている。この円筒部１３ａ，１４ａには短管からなる嵌合部材２５が回転自在に嵌合されている。この嵌合部材２５の両端側には前後連結部材１３，１４に対して固定したストッパ部材２６が固定され、嵌合部材２５の軸方向の移動を阻止している。嵌合部材２５には鉛直方向に突出する回動軸２７が設けられている。この回動軸２７にはアルミニウム等の軽金属材料からなる中空角パイプによって形成された２本の左右連結部材１５，１６のそれぞれの一端部が水平面内で回動自在に連結されている。なお、嵌合部材２５を前後連結部材１３，１４の軸方向に移動自在とし、２本の左右連結部材１５，１６の間隔を調節できるようにしてもよく、このように構成することにより、天板、グリル等の載置物のサイズに対応できる。
【００１８】
図３に示すように、２本の左右連結部材１５，１６のそれぞれの他端部は、前後連結部材１３と１４との間の方向に延長されており、２本の左右連結部材１５，１６は鉛直方向にヒンジ軸２８，２９を有するヒンジ機構３０によって回動自在に連結されている。ヒンジ機構３０は、金属板を折曲することにより形成され、上端部には各左右連結部材１５，１６の側面に固定される一対の取付け片３１が設けられている。これら取付け片３１にはこれと直角に折曲され下方に延長する延出片３２が設けられている。さらに、取付け片３１，延出片３２の先端部には互いにオーバーラップする方向に直角に折曲された軸支部としての枢軸片３３，３４が設けられ、これら枢軸片３３，３４はヒンジ軸２８，２９によって回動自在に連結されている。また、取付け片３１と延出片３２とは補強片３５によって結合されている。このヒンジ機構３０は、左右連結部材１５，１６に固定される取付け片３１と直角に下方に延長する延出片３２を有しているため、左右連結部材１５，１６に上方から加わる荷重に対して十分な強度を有することになる。
【００１９】
このようにそれぞれ一端部が嵌合部材２５の回動軸２７に連結された２本の左右連結部材１５，１６の他端部は、鉛直方向にヒンジ軸２８，２９を有するヒンジ機構３０によって連結されており、前後連結部材１３，１４を平行状態を保ちながら離間（拡開）させると、棒状脚部材１８，１９がＸ状に拡開するとともに、各左右連結部材１５，１６が水平状態を維持しながら一直線上になる。
【００２０】
つまり、嵌合部材２５は前後連結部材１３，１４に対して回転しながら各左右連結部材１５，１６を水平状態に保つため、各左右連結部材１５，１６を連結するヒンジ機構３０に無理な力が加わることはない。また、折り畳み時には前後連結部材１３，１４を水平状態を保ちながら接近させると、棒状脚部材１８，１９が平行に引き揃えられるとともに、各左右連結部材１５，１６がヒンジ軸２８，２９を支点として水平状態を維持しながら内側に二つ折りに屈折して前後連結部材１３と１４との間に介入し、これらと平行に引き揃えられるようになっている。
【００２１】
また、折り畳み式スタンド１０には積載物としての天板３６が着脱可能に載置され、折り畳み式テーブルを構成できる。この天板３６は、アルミニウム等の軽金属材料からなる帯状の同一サイズの複数枚の天板構成部材３７を紐等によって折り畳み可能に連結したもので、天板構成部材３７が前後連結部材１３，１４の長手方向と直交する方向に前後連結部材１３，１４に載置されるようになっている。天板構成部材３７の裏面には合成樹脂材料からなる複数の挟持片３８が固定され、これら挟持片３８は前後連結部材１３，１４に対して弾性的に嵌合されるようになっている。
【００２２】
また、折り畳み式スタンド１０には天板３６に代わってグリル３９を着脱可能に載置されるようになっている。グリル３９は例えばカートリッジ式のガスボンベ４０が接続されるグリル本体４１は、折り畳み式スタンド１０の前後連結部材１３，１４に載置して使用することができる。従って、折り畳み式スタンド１０から天板３６を取り外してグリル３９を載置することにより、野外でバーベキュー等を行うことができる。
【００２３】
次に、前述のように構成された折り畳み式スタンド１０の作用について説明する。
【００２４】
まず、折り畳み状態から組み立てる手順について説明する。前後連結部材１３，１４に対し、ヒンジ軸２３を支点として棒状脚部材１８，１９を矢印ａ方向に回動して前後連結部材１３，１４に対して棒状脚部材１８，１９を直角にする。そして、支持リンク２４を矢印方向に回動して前後連結部材１３，１４と棒状脚部材１８，１９とを固定的に保持する。
【００２５】
次に、棒状脚部材１８，１９を地上に対して垂直状態にして前後連結部材１３，１４を平行状態を保ちながら離間（拡開）させると、前後連結部材１３，１４に連結されている棒状脚部材１８，１９が枢支軸１７を支点としてＸ状に拡開する。従って、前後連結部材１３，１４に連結されている左右連結部材１５，１６が水平状態を維持しながら一直線上になりつつ回動する。このとき、左右連結部材１５，１６と連結されている嵌合部材２５は前後連結部材１３，１４に対して回転するため、各左右連結部材２８を連結するヒンジ機構３０に無理な力が加わることはなく、左右連結部材１５，１６が水平状態を維持しながら一直線上なり、前後連結部材１３，１４を平行に保ち、折り畳み式スタンド１０の組み立てが完了する。折り畳み式スタンド１０に対して天板３６を載置し、天板構成部材３７の複数の挟持片３８を前後連結部材１３，１４に対して弾性的に嵌合すると、テーブルが完成する。また、天板３６に代わってグリル３９を折り畳み式スタンド１０の前後連結部材１３，１４に載置することもできる。
【００２６】
また、折り畳み式スタンド１０を折り畳む際には、前後連結部材１３，１４を平行状態を保ちながら接近させると、各左右連結部材１５，１６がヒンジ軸２８，２９を支点として水平状態を維持しながら内側に二つ折りに屈折して前後連結部材１３と１４との間に介入する。また、棒状脚部材１８，１９が枢支軸１７を支点として回動し、棒状脚部材１８，１９が平行に引き揃えられる。
【００２７】
次に、支持リンク２４を枢支ピン２２を支点として屈折すると、図５の矢印ｂ方向に、前後連結部材１３，１４に対して棒状脚部材１８，１９がヒンジ軸２３を支点として回動させることができ、前後連結部材１３，１４に対して棒状脚部材１８，１９を平行に引き揃えることができる。また、各左右連結部材１５，１６がヒンジ軸２８、２９を中心として二つ折りになり、各左右連結部材１５，１６が回動軸２７を支点として回動して前後連結部材１３，１４対して平行に引き揃えることができる。また、天板３６は、複数枚の天板構成部材３７を紐等によって折り畳み可能に連結した構造であるため、天板構成部材３７を重ねた状態に引き揃えることができる。
【００２８】
なお、折り畳み式スタンドの骨組みを角パイプによって構成したが、丸パイプでもよく、限定されるものではない。
【００２９】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００３０】
【図１】本発明の第１の実施形態を示し、折り畳み式スタンドをテーブルとして使用する場合の斜視図。
【図２】同実施形態を示し、折り畳み式スタンドの斜視図。
【図３】同実施形態を示し、左右連結部材の斜視図。
【図４】同実施形態を示し、（ａ）は左右連結部材と天板との連結状態の斜視図、（ｂ）はＡ部の断面図。
【図５】同実施形態を示し、前後連結部材に対して左側脚体と右側脚体を拡開した状態の正面図。
【図６】同実施形態を示し、天板を折り畳んだ状態の斜視図。
【図７】同実施形態を示し、グリルの斜視図。
【符号の説明】
【００３１】
１０…折り畳み式スタンド、１１…左側脚体、１２…右側脚体、１３，１４…前後連結部材、１５,１６…左右連結部材、１８，１９…棒状脚部材、２２…ヒンジ金具、２３…ヒンジ軸、２５…嵌合部材、２８，２９…ヒンジ軸、３０…ヒンジ機構、３６…天板、３９…グリル
【図１】
2008259769.tif 000003
【図２】
2008259769.tif 000004
【図３】
2008259769.tif 000005
【図４】
2008259769.tif 000006
【図５】
2008259769.tif 000007
【図６】
2008259769.tif 000008
【図７】
2008259769.tif 000009